【手続補正書】
【提出日】平成16年11月22日(2004.11.22)
【手続補正１】
【補正対象書類名】特許請求の範囲
【補正対象項目名】全文
【補正方法】変更
【補正の内容】
【特許請求の範囲】
【請求項１】
アクチュエータと、該アクチュエータを制御する制御部とを備え、前記制御部内の記憶手段に記憶させた所定の制御パラメータデータに従って前記アクチュエータを駆動することにより印刷を行うプリンタにおいて、前記制御部内の記憶手段は、プログラムＲＯＭ、ＥＥＰＲＯＭ及びＤＲＡＭにより構成され、予め決められた負荷或いは検出対象に対して所定の集団毎に測定した前記所定の制御パラメータデータに関する値を前記ＥＥＰＲＯＭに記憶させておき、電源起動時のプリンタの初期化動作後、前記値を前記ＥＥＰＲＯＭから読み込み、複数の前記所定の制御パラメータデータを記憶してある前記プログラムＲＯＭより制御データを選択し、該制御データを前記値で補正した上で前記ＤＲＡＭに格納し、該ＤＲＡＭに格納されたデータに従って、前記アクチュエータを駆動することを特徴とするプリンタ。
【請求項２】
アクチュエータと、該アクチュエータを制御する制御部とを備え、前記制御部内の記憶手段に記憶させた所定の制御パラメータデータに従って前記アクチュエータを駆動することにより印刷を行うプリンタにおける前記制御パラメータデータの設定方法において、前記制御部内の記憶手段は、プログラムＲＯＭ、ＥＥＰＲＯＭ及びＤＲＡＭにより構成され、予め決められた負荷或いは検出対象に対して所定の集団毎に測定した前記所定の制御パラメータデータに関する値を前記ＥＥＰＲＯＭに記憶させておき、電源起動時のプリンタの初期化動作後、前記値を前記ＥＥＰＲＯＭから読み込むステップと、複数の前記所定の制御パラメータデータを記憶してある前記プログラムＲＯＭより制御データを選択するステップと、該選択された制御データを前記値で補正した上で前記ＤＲＡＭに格納するステップとを少なくとも有することを特徴とするプリンタにおける制御パラメータデータの設定方法。
【請求項３】
複数のワイヤを有する印字ヘッドと、前記複数のワイヤのそれぞれに対応して設けられた複数のトランジスタを有するへッド駆動回路と、前記各トランジスタを所定の通電時間駆動させるヘッドパルスを生成するヘッドパルス生成回路とを備え、前記ヘッドパルスを印加することにより前記各トランジスタを駆動させて対応するワイヤによりドット印刷を行うインパクトドットプリンタにおいて、予め所定のトランジスタ群毎に求めた前記各トランジスタのターンオフ時間のうちから選択した最適値を記憶手段に記憶させておき、該最適値を電源起動時に読み込み、該最適値により前記所定の通電時間を補正してヘッドパルスを生成することを特徴とするインパクトドットプリンタ。
【請求項４】
複数のワイヤを有する印字ヘッドと、前記複数のワイヤのそれぞれに対応して設けられた複数のスイッチング素子を有するヘッド駆動回路と、前記各スイッチング素子を所定の通電時間駆動させるヘッドパルスを生成するヘッドパルス生成回路と、ヘッドパルス生成回路を制御する制御部とを備え、前記ヘッドパルスを印加することにより前記各スイッチング素子を駆動させて対応するワイヤによりドット印刷を行うインパクトドットプリンタにおいて、
前記制御部は、前記各スイッチング素子を所定の通電時間駆動させる通電時間データを記憶する通電幅データ保存手段と、
予め所定のスイッチング素子群毎に求めた前記各スイッチング素子の動作時間のうちから選択した最適値を記憶する最適化データ保存手段と、
電源起動時に前記最適化データ保存手段から前記最適値を読み出す最適化データ読出手段と、
印刷時に前記通電幅データ保存手段から前記通電時間データを読み出して前記ヘッドパルスの生成に供する通電幅データ読出手段と、
前記通電幅データ読出手段の読み出した前記所定の通電時間データを前記動作時間の最適値で補正する最適値補正手段とを備え、
前記通電幅データ保存手段は、所定の厚さを持つ印刷媒体に対する通電時間データのテーブルを有する第１のモードと、該第１のモードより厚い厚さを持つ印刷媒体に対する通電時間データのテーブルを有する第２のモードを備え、
前記通電幅データ読出手段は、前記第１のモード及び前記第２のモードを切替える切替え手段を有し、
前記制御部は、前記切替え手段で選択されたいずれかのモードから前記通電幅データ読出手段で読み出された通電時間データを、前記最適値補正手段で補正し、
前記ヘッドパルス生成回路は、前記補正された通電時間データから成るヘッドパルスを前記各スイッチング素子に印加することを特徴とするインパクトドットプリンタ。
【請求項５】
前記スイッチング素子はトランジスタであることを特徴とする請求項３乃至４に記載のインパクトドットプリンタ。
【請求項６】
前記最適値は、プリンタの出荷時調整の際に計測されることを特徴とする請求項３乃至５に記載のインパクトドットプリンタ。
【請求項７】
前記スイッチング素子群は、同一ランク且つ同一ロットのスイッチング素子から成ることを特徴とする請求項３乃至６に記載のインパクトドットプリンタ。
【請求項８】
請求項３乃至７に記載のインパクトドットプリンタにおいて、更に、印刷の際の前記印字ヘッドの状態を考慮して前記通電時間を補正する補正手段を有することを特徴とするインパクトドットプリンタ。
【請求項９】
請求項８記載のインパクトドットプリンタにおいて、少なくとも環境温度を基に、印刷の際の印字ヘッドの状態を考慮することを特徴とするインパクトドットプリンタ。
【請求項１０】
請求項８及び９に記載のインパクトドットプリンタにおいて、少なくともヘッド駆動用電源電圧を基に、印刷の際の印字ヘッドの状態を考慮することを特徴とするインパクトドットプリンタ。
【請求項１１】
請求項８乃至１０に記載のインパクトドットプリンタにおいて、少なくとも環境湿度を基に、印刷の際の印字ヘッドの状態を考慮することを特徴とするインパクトドットプリンタ。
【手続補正２】
【補正対象書類名】明細書
【補正対象項目名】００１０
【補正方法】変更
【補正の内容】
【００１０】
即ち、請求項１に記載の発明では、アクチュエータと、該アクチュエータを制御する制御部とを備え、前記制御部内の記憶手段に記憶させた所定の制御パラメータデータに従って前記アクチュエータを駆動することにより印刷を行うプリンタにおいて、前記制御部内の記憶手段は、プログラムＲＯＭ、ＥＥＰＲＯＭ及びＤＲＡＭにより構成され、予め決められた負荷或いは検出対象に対して所定の集団毎に測定した前記所定の制御パラメータデータに関する値を前記ＥＥＰＲＯＭに記憶させておき、電源起動時のプリンタの初期化動作後、前記値を前記ＥＥＰＲＯＭから読み込み、複数の前記所定の制御パラメータデータを記憶してある前記プログラムＲＯＭより制御データを選択し、該制御データを前記値で補正した上で前記ＤＲＡＭに格納し、該ＤＲＡＭに格納されたデータに従って、前記アクチュエータを駆動することを特徴としている。
【手続補正３】
【補正対象書類名】明細書
【補正対象項目名】００１１
【補正方法】変更
【補正の内容】
【００１１】
また、請求項２記載の発明では、アクチュエータと、該アクチュエータを制御する制御部とを備え、前記制御部内の記憶手段に記憶させた所定の制御パラメータデータに従って前記アクチュエータを駆動することにより印刷を行うプリンタにおける前記制御パラメータデータの設定方法において、前記制御部内の記憶手段は、プログラムＲＯＭ、ＥＥＰＲＯＭ及びＤＲＡＭにより構成され、予め決められた負荷或いは検出対象に対して所定の集団毎に測定した前記所定の制御パラメータデータに関する値を前記ＥＥＰＲＯＭに記憶させておき、電源起動時のプリンタの初期化動作後、前記値を前記ＥＥＰＲＯＭから読み込むステップと、複数の前記所定の制御パラメータデータを記憶してある前記プログラムＲＯＭより制御データを選択するステップと、該選択された制御データを前記値で補正した上で前記ＤＲＡＭに格納するステップとを少なくとも有することを特徴としている。
また、請求項３記載の発明では、複数のワイヤを有する印字ヘッドと、前記複数のワイヤのそれぞれに対応して設けられた複数のトランジスタを有するへッド駆動回路と、前記各トランジスタを所定の通電時間駆動させるヘッドパルスを生成するヘッドパルス生成回路とを備え、前記ヘッドパルスを印加することにより前記各トランジスタを駆動させて対応するワイヤによりドット印刷を行うインパクトドットプリンタにおいて、予め所定のトランジスタ群毎に求めた前記各トランジスタのターンオフ時間のうちから選択した最適値を記憶手段に記憶させておき、該最適値を電源起動時に読み込み、該最適値により前記所定の通電時間を補正してヘッドパルスを生成することを特徴としている。
また、請求項４記載の発明では、複数のワイヤを有する印字ヘッドと、前記複数のワイヤのそれぞれに対応して設けられた複数のスイッチング素子を有するヘッド駆動回路と、前記各スイッチング素子を所定の通電時間駆動させるヘッドパルスを生成するヘッドパルス生成回路と、ヘッドパルス生成回路を制御する制御部とを備え、前記ヘッドパルスを印加することにより前記各スイッチング素子を駆動させて対応するワイヤによりドット印刷を行うインパクトドットプリンタにおいて、前記制御部は、前記各スイッチング素子を所定の通電時間駆動させる通電時間データを記憶する通電幅データ保存手段と、予め所定のスイッチング素子群毎に求めた前記各スイッチング素子の動作時間のうちから選択した最適値を記憶する最適化データ保存手段と、電源起動時に前記最適化データ保存手段から前記最適値を読み出す最適化データ読出手段と、印刷時に前記通電幅データ保存手段から前記通電時間データを読み出して前記ヘッドパルスの生成に供する通電幅データ読出手段と、前記通電幅データ読出手段の読み出した前記所定の通電時間データを前記動作時間の最適値で補正する最適値補正手段とを備え、前記通電幅データ保存手段は、所定の厚さを持つ印刷媒体に対する通電時間データのテーブルを有する第１のモードと、該第１のモードより厚い厚さを持つ印刷媒体に対する通電時間データのテーブルを有する第２のモードを備え、前記通電幅データ読出手段は、前記第１のモード及び前記第２のモードを切替える切替え手段を有し、前記制御部は、前記切替え手段で選択されたいずれかのモードから前記通電幅データ読出手段で読み出された通電時間データを、前記最適値補正手段で補正し、前記ヘッドパルス生成回路は、前記補正された通電時間データから成るヘッドパルスを前記各スイッチング素子に印加することを特徴としている。
また、請求項５記載の発明では、前記スイッチング素子はトランジスタであることを特徴としている。
また、請求項６記載の発明では、前記最適値は、プリンタの出荷時調整の際に計測されることを特徴としている。
また、請求項７記載の発明では、前記スイッチング素子群は、同一ランク且つ同一ロットのスイッチング素子から成ることを特徴としている。
また、請求項８記載の発明では、更に、印刷の際の前記印字ヘッドの状態を考慮して前記通電時間を補正する補正手段を有することを特徴としている。
また、請求項９記載の発明では、少なくとも環境温度を基に、印刷の際の印字ヘッドの状態を考慮することを特徴としている。
また、請求項１０記載の発明では、少なくともヘッド駆動用電源電圧を基に、印刷の際の印字ヘッドの状態を考慮することを特徴としている。
また、請求項１１記載の発明では、少なくとも環境湿度を基に、印刷の際の印字ヘッドの状態を考慮することを特徴としている。